(57)【要約】      （修正有）【課題】使用者が所望サイズのボリュームに簡便に調節することができるように構成し、別途のパッド着用による不便さを解消するとともに衣装にぴったりと合うようにフィットを調節することができ、ボリューム感のある胸と見えるようにして使用者の自信感を高めることができるボリューム調節の可能な補正ブラジャーを提供する。【解決手段】突出した胸を全体的に包む形態の弧形ラインでなる一対のブラジャーカップ１００、及びブラジャーカップを連結して胸の周囲に着用され、端部にはそれぞれフック結合によって互いに締結される装着バンド２００からなるブラジャーであって、ブラジャーカップの前面部に形成される複数の第１結合手段１１０と、ブラジャーカップの前面部全体をカバーするように第１結合手段と互いに結合する第２結合手段３１０が形成された補正カバー３００とを含む。【選択図】図１
0003227130.tif 000002
【実用新案登録請求の範囲】
【請求項１】
突出した胸を全体的に包む形態の弧形ラインでなる一対のブラジャーカップ（１００）、及び前記ブラジャーカップ（１００）を連結して胸の周囲に着用され、端部にはそれぞれフック結合によって互いに締結される装着バンド（２００）からなるブラジャーであって、
前記ブラジャーカップ（１００）の前面部に形成される複数の第１結合手段（１１０）と、
前記ブラジャーカップ（１００）の前面部全体をカバーするように前記第１結合手段（１１０）と互いに結合する第２結合手段（３１０）が形成された補正カバー（３００）とを含んでなることを特徴とする、ボリューム調節の可能な補正ブラジャー。
【請求項２】
前記ブラジャーカップ（１００）の前記第１結合手段（１１０）と前記補正カバー（３００）の前記第２結合手段（３１０）の方式は、ベルクロ（登録商標）テープ、ボタン及びフック結合のいずれかが適用されることを特徴とする、請求項１に記載のボリューム調節の可能な補正ブラジャー。
【請求項３】
前記補正カバー（３００）は、互いに異なる厚さを有する第１補正カバー（３００ａ）、第２補正カバー（３００ｂ）及び第３補正カバー（３００ｃ）からなり、使用者が望む厚さの前記補正カバー（３００）が選択されて結合されることを特徴とする、請求項１に記載のボリューム調節の可能な補正ブラジャー。
【請求項４】
前記補正カバー（３００）は、厚さ方向に、前記第１補正カバー（３００ａ）、前記第２補正カバー（３００ｂ）及び前記第３補正カバー（３００ｃ）の中で２個以上が重なって結合される方式で厚さの増減が調節されることを特徴とする、請求項３に記載のボリューム調節の可能な補正ブラジャー。
【考案の詳細な説明】
【技術分野】
【０００１】
本考案はボリューム調節の可能な補正ブラジャーに関するものであり、ブラジャーを着用した使用者が所望サイズのボリュームに簡便に調節することができるように構成し、別途のパッド着用による不便さを解消するとともに衣装にぴったりと合うようにフィット（ｆｉｔ）を調節することができ、ボリューム感のある胸と見えるようにして使用者の自信感を高めることができるボリューム調節の可能な補正ブラジャーに関するものである。
【背景技術】
【０００２】
一般に、ブラジャーは女性の上体に着用して胸を保護するか胸の形状を整える下着に相当する。このようなブラジャーは、胸を保護するか支持する機能的な効果だけではなく、胸のボリューム感を高めて外的な美を高めるか、それによって自信感を高める審美的効果も大きいと言える。
【０００３】
近来になって、胸のボリューム感を高めるために、胸の内部にプロテーゼを挿入する外科的手術が増加しているが、手術による費用及び多様な副作用のおそれのため憚られている。よって、ブラジャーの内側に補正用パッドを挿入することによってこのような効果を得ている。
【０００４】
しかし、補正用パッドを用いる場合には、ブラジャーの内側に挿入するため使用者が異質感を感じることがあり、パッドを挿入した後、ブラジャーの形態に合うように内側で広げるか落ち着くようにしなければならないため、挿入過程が煩わしい問題点がある。よって、パッドの厚さが多様に備えられても使用者が望むサイズのパッドに簡便に交替することができない問題点がある。
【０００５】
また、パッドは、ブラジャーの内側に挿入されなければならない構造的な限界のため、ブラジャーカップ部の全体的なボリューム感を高めることができず、ブラジャーの一部のみ突出する問題点がある。よって、過度な厚さのパッドを挿入する場合、不自然に見える問題点がある。そして、パッドの挿入によって増えた厚さの分だけ胸を圧迫するため、着心地が落ちる問題点があった。
【０００６】
これに関連した先行技術として、韓国登録特許１０−１７７８０６１号公報（ボリュームパッドを備えたブラジャー）には、ブラジャー着用者の胸と密着して収容するように中央部位が陷沒して凹状に形成される内皮と、前記内皮の外側を収容するとともに内皮の外側に装着される外皮と、前記内皮と外皮との間でブラジャー着用者の胸を支えて上げるように装着されるボリュームパッドと、前記内皮とボリュームパッドとの間でブラジャー着用者の胸を支えて上げるとともに内皮とボリュームパッドを分離するように装着される２重の内側ボリュームパッドとを含む技術が開示されている。
【０００７】
前記先行技術は外皮と内皮との間に２重の内側ボリュームパッドが備えられる技術であり、ボリュームパッドの着脱が自由ではなく使用者が任意にボリューム程度を調節しにくい問題点がある。また、多層構造を有するボリュームパッドが互いに固定されていないため、走るか動きの大きな場合、ボリュームパッドが一側に偏る問題点を持っている。
【０００８】
また、女性の胸は、生理周期、体重変化、授乳有無などによってサイズが変わることがあり、衣装のコンセプトによって胸部のボリューム感を違える必要性がある。よって、このような変化に合わせてブラジャーのボリュームを簡便に即時調節しなければならないというのは言うまでもない。
【先行技術文献】
【特許文献】
【０００９】
【特許文献１】韓国登録特許１０−１７７８０６１号公報
【考案の概要】
【考案が解決しようとする課題】
【００１０】
本考案は前記のような問題点を解決するために案出されたもので、パッドの挿入によるボリューム調節方式によらず、付着方式でボリュームを調節することができるようにし、使用者が所望サイズのボリュームに簡便に調節することができるようにすることにより、衣装のコンセプト又は使用者の体調によって最適化したボリューム調節の可能な補正ブラジャーを提供することに目的がある。
【課題を解決するための手段】
【００１１】
本考案は、突出した胸を全体的に包む形態の弧形ラインでなる一対のブラジャーカップ、及び前記ブラジャーカップを連結して胸の周囲に着用され、端部にはそれぞれフック結合によって互いに締結される装着バンドからなるブラジャーであって、前記ブラジャーカップの前面部に形成される複数の第１結合手段と、前記ブラジャーカップの前面部全体をカバーするように第１結合手段と互いに結合する第２結合手段が形成された補正カバーとを含んでなることを特徴とする。
【００１２】
前記ブラジャーカップの第１結合手段と補正カバーの第２結合手段の方式は、ベルクロ（登録商標）テープ、ボタン及びフック結合のいずれかが適用されることができる。
【００１３】
前記補正カバーは、互いに異なる厚さを有する第１補正カバー、第２補正カバー及び第３補正カバーからなり、使用者が望む厚さの補正カバーが選択されて結合されることができる。
【００１４】
前記補正カバーは、厚さ方向に、第１補正カバー、第２補正カバー及び第３補正カバーの中で２個以上が重なって結合される方式で厚さの増減が調節されることができる。
【考案の効果】
【００１５】
本考案は、ブラジャーカップの前面部に形成された第１結合手段、及び前記第１結合手段と結合する第２結合手段が形成された補正カバーから構成なることにより、補正カバーの結合がブラジャーカップの外部でなされるため、分離及び結合が簡便な効果があり、着心地に優れた効果ある。
【００１６】
また、本考案の補正カバーは、ブラジャーカップ全体を補正する方式でなされるため、厚さを増やしても服を着たときに自然な効果がある。
【図面の簡単な説明】
【００１７】
【図１】本考案のボリューム調節の可能な補正ブラジャーを示す斜視図である。
【図２】本考案のブラジャーカップと補正カバーの結合状態を例示する断面図である。
【図３】本考案のブラジャーカップに補正カバーを結合した状態を示す断面図である。
【図４】本考案の補正カバーが互いに異なる厚さを有する第１、第２及び第３補正カバーからなることをそれぞれ（Ａ）、（Ｂ）、（Ｃ）で示す断面図である。
【図５】本考案のブラジャーカップに第１補正カバーと第２補正カバーを結合した状態を例示する断面図である。
【図６】本考案のブラジャーカップに第１補正カバーと第２補正カバーを結合した状態を例示する断面図である。
【図７】本考案のブラジャーカップと補正カバーが互いに接する部分に樹脂コーティング層がさらに形成された他の実施例を示す断面図である。
【考案を実施するための形態】
【００１８】
以下、本考案の好適な実施例を添付図面に基づいて詳細に説明する。そして、本考案の説明において、関連した公知の機能又は構成についての具体的な説明が本考案の要旨を不必要にあいまいにする可能性があると判断される場合、その詳細な説明を省略する。
【００１９】
本考案は、図１に示すように、突出した胸を全体的に包む形態の弧形ラインでなる一対のブラジャーカップ１００、及び前記ブラジャーカップ１００を連結して胸の周囲に着用され、端部はそれぞれフック結合によって互いに締結される装着バンド２００からなるブラジャーであって、前記ブラジャーカップ１００の前面部に形成される複数の第１結合手段１１０と、前記ブラジャーカップ１００の前面部全体をカバーするように第１結合手段１１０と結合する第２結合手段３１０が形成された補正カバー３００とを含んでなることを特徴とする。
【００２０】
前記ブラジャーカップ１００は胸から突出した部分、すなわち乳房部分を全体的に包む形態になり、補正カバー３００の厚さに比べて薄く形成されている。前記ブラジャーカップ１００は、内皮及び外皮とそれらの間に配置される基本パッドとからなる。このような断面構成は一般的な構成に相当するので、本考案で具体的な説明又は具体的表現は省略する。
【００２１】
前記第１結合手段１１０はブラジャーカップ１００の外側に相当する前面部に形成されるものであり、補正カバー３００の第２結合手段３１０と結合して補正カバー３００を固定するための手段である。前記第１結合手段１１０はブラジャーカップ１００の前面部に少なくとも４〜５箇所に形成されることが好ましい。結合部位が余りにも少ない場合には固定力が低下し、結合部位が余りにも多い場合には分離結合による煩わしさが発生するためである。
【００２２】
そして、前記第１結合手段１１０と第２結合手段３１０の結合方式は、ベルクロ(登録商標)テープ、ボタン（スナップボタン又は円形ボタン）及びフック結合の中で適用することが好ましく、補正カバー３００の分離及び結合が簡便であるとともにある程度の固定力を維持するにはベルクロ（登録商標）テープを適用することが好ましい。
【００２３】
前述したように、本考案の補正カバー３００は、第２結合手段３１０が内側に形成されている。そして、前記ブラジャーカップ１００より厚く形成され、前面部全体をカバーするように結合するので、補正カバー３００の結合の際に外観上ブラジャーカップ１００の形態と見えるようになる。よって、補正カバー３００を結合しても自然な演出が可能な利点がある。仮に、補正カバー３００の色相又は柄やパターンをブラジャーカップ１００と異なるようにする場合、補正カバー３００の結合のみで下着交替の効果を得ることができる。
【００２４】
図２及び図３は前記補正カバー３００の結合中の状態及び結合が完了した状態を例示する図であり、ブラジャーカップ１００の外側（前面部）に形成された第１結合手段１１０と補正カバー３００の内側に形成された第２結合手段３１０とが互いに結合して補正カバー３００の結合がなされる。前記第１結合手段１１０と第２結合手段３１０の結合は、ベルクロ（登録商標）テープ、ボタン（スナップボタン又は円形ボタン）及びフック結合のいずれかによってなされることができるが、結合の便宜性の観点で図面に示すようにベルクロ（登録商標）テープを適用することが好ましい。
【００２５】
本考案で、補正カバー３００は、図４に示すように、互いに異なる厚さを有する第１補正カバー３００ａ、第２補正カバー３００ｂ及び第３補正カバー３００ｃからなり、使用者が望む厚さの補正カバー３００を選択して結合することができる。
【００２６】
また、前記補正カバー３００は、図５及び図６に示すように、厚さ方向に、第１補正カバー３００ａ、第２補正カバー３００ｂ及び第３補正カバー３００ｃの中で２個以上を重ねて結合する方式で厚さ増減量を調節することができる。すなわち、厚さ調節程度によって、第１補正カバー３００ａのみ使うか、第１補正カバー３００ａに第２補正カバー３００ｂを結合して使うか、第１補正カバー３００ａ、第２補正カバー３００ｂ及び第３補正カバー３００ｃの全てを結合する方式でボリュームを調節することができる。
【００２７】
前記第１、第２及び第３補正カバー３００ａ、３００ｂ、３００ｃ同士結合するためには、第１補正カバー３００ａの外側に第２補正カバー３００ｂと結合するための第３結合手段３２０がさらに形成されなければならない。また、前記第２補正カバー３００ｂの外側にも、第３補正カバー３００ｃと結合するための第３結合手段３２０が同様に形成されなければならないというのは言うまでもない。
【００２８】
図７は本考案の他の実施例を示す断面図であり、ブラジャーカップ１００の外側と補正カバー３００の内側に樹脂コーティング層４００をさらに形成することで、ブラジャーカップ１００と補正カバー３００が互いに密着して滑らないようにし、結合力を高めるように構成することができる。すなわち、第１結合手段１１０と第２結合手段３１０が互いに結合する部分を除いた部分はどうしても結合力が低下することがある。したがって、補正カバー３００の結合力を補うために、結合力が作用しない部分に対して摩擦力の高い樹脂コーティング層４００をさらに形成することによってこれを解決することができる。
【００２９】
また、前記樹脂コーティング層４００がブラジャーカップ１００と補正カバー３００に全体的に形成される場合、通気性を低下させることがあるため、樹脂コーティング層４００に微細な孔形態の通孔部（図示せず）を多数形成することにより、結合力を維持しながら内外部の空気が循環するようにすることが良い。
【００３０】
そして、前記樹脂コーティング層４００は、ブラジャーカップ１００と補正カバー３００の固有のデザインと色相を害しないように透明色を適用することが好ましい。
【００３１】
以上で本考案は前記実施例に基づいて説明したが、本考案の技術思想の範囲内で多様な変形実施が可能であるというのは言うまでもない。
【符号の説明】
【００３２】
１００    ブラジャーカップ
１１０    第１結合手段
２００    装着バンド
３００    補正カバー
３１０    第２結合手段
３００ａ  第１補正カバー
３００ｂ  第２補正カバー
３００ｃ  第３補正カバー
３２０    第３結合手段
４００    樹脂コーティング層
【図１】
0003227130.tif 000003
【図２】
0003227130.tif 000004
【図３】
0003227130.tif 000005
【図４】
0003227130.tif 000006
【図５】
0003227130.tif 000007
【図６】
0003227130.tif 000008
【図７】
0003227130.tif 000009